(57)【要約】【課題】持柄体を持って挿入部をプルタブの指掛穴に挿入すると共に持柄体を手前方向に引き操作することにより挿入部に形成された引掛部を輪環部の外方側に引き掛け、持柄体を引き起こすことによりプルタブは引き起こされ、引き起こしにより押圧部はプルタブの先端部を下方に押圧し、プルタブの先端部が押圧部により下方に押圧され、飲み口を開口することができ、プルトップ式缶の開口を容易に行うことができる。【解決手段】持柄体１の先端部に缶蓋板Ｗ1の中央部に軸部Ｋにより止着されたプルタブＰの先端部Ｐ3を下方に押圧可能な押圧部２を設け、持柄体の押圧部の後方位置にプルタブの指掛穴Ｍに挿入可能な挿入部３を設け、挿入部にプルタブの指掛穴に挿入して手前方向への引き操作によりプルタブの輪環部Ｈに引掛可能な引掛部４を設けてなる。【選択図】図１
2011025932.tif 000002
【特許請求の範囲】
【請求項１】
持柄体の先端部に缶蓋板の中央部に軸部により止着されたプルタブの先端部を下方に押圧可能な押圧部を設け、該持柄体の押圧部の後方位置に該プルタブの指掛穴に挿入可能な挿入部を設け、該挿入部に該プルタブの指掛穴に挿入して手前方向への引き操作により該プルタブの輪環部に引掛可能な引掛部を設けてなることを特徴とする缶開け具。
【請求項２】
上記挿入部は上記プルタブの指掛穴に嵌合可能に形成されていることを特徴とする請求項１記載の缶開け具。
【請求項３】
上記持柄体の先端部に上記軸部の頭部への当接を避ける逃げ部を形成してなることを特徴とする請求項１又は２記載の缶開け具。
【請求項４】
上記持柄体の後部は後上がり状に形成されていることを特徴とする請求項１〜３のいずれか１項に記載の缶開け具。
【発明の詳細な説明】
【技術分野】
【０００１】
本発明はジュースやビール等の飲料の飲み口をプルタブの引き起こしにより開口する際に用いられるプルトップ式缶用の缶開け具に関するものである。
【背景技術】
【０００２】
従来、この種の缶開け具として、例えば、持柄体の先端部をプルトップ缶のプルタブの指掛穴に缶蓋板との隙間を介して手前側から中央方向への挿入操作によりこじ開けるようにして挿入し、持柄体により輪環部を引き起こしてプルタブを引き起こして飲み口を開口するようにした構造のものが知られている。
【先行技術文献】
【特許文献】
【０００３】
【特許文献１】特開平８−１９８３８９号公報
【発明の概要】
【発明が解決しようとする課題】
【０００４】
しかしながらこれら従来構造の場合、持柄体の先端部を手前側から中央方向への挿入操作が必要となり、この挿入操作は、プルタブの輪環部と缶蓋体との隙間が小さいことも相俟って、老人や子供、手や指、目に障害をもつ人にとって、大変困難な操作となることがあるという不都合を有している。
【課題を解決するための手段】
【０００５】
本発明はこのような課題を解決することを目的とするもので、本発明のうちで、請求項１記載の発明は、持柄体の先端部に缶蓋板の中央部に軸部により止着されたプルタブの先端部を下方に押圧可能な押圧部を設け、該持柄体の押圧部の後方位置に該プルタブの指掛穴に挿入可能な挿入部を設け、該挿入部に該プルタブの指掛穴に挿入して手前方向への引き操作により該プルタブの輪環部に引掛可能な引掛部を設けてなることを特徴とする缶開け具にある。
【０００６】
又、請求項２記載の発明は、上記挿入部は上記プルタブの指掛穴に嵌合可能に形成されていることを特徴とするものであり、又、請求項３記載の発明は、上記持柄体の先端部に上記軸部の頭部への当接を避ける逃げ部を形成してなることを特徴とするものであり、又、請求項４記載の発明は、上記持柄体の後部は後上がり状に形成されていることを特徴とするものである。
【発明の効果】
【０００７】
本発明は上述の如く、請求項１記載の発明にあっては、持柄体を持って挿入部をプルタブの指掛穴に挿入すると共に持柄体を手前方向に引き操作することにより挿入部に形成された引掛部を輪環部の外方側に引き掛け、持柄体を引き起こすことによりプルタブは引き起こされ、引き起こしにより押圧部はプルタブの先端部を下方に押圧し、プルタブの先端部が押圧部により下方に押圧され、飲み口を開口することができ、持柄体を手前側から中央方向へ挿入操作してプルタブを引き起こす操作よりも、持柄体を手前方向に引き操作することにより挿入部に形成された引掛部を輪環部の外方側に引き掛ける操作の方が老人や子供、手や指、目に障害をもつ人にとってきわめて容易であり、それだけ、容易にプルタブを引き起こすことができ、プルトップ式缶の開口を容易に行うことができる。
【０００８】
又、請求項２記載の発明にあっては、上記挿入部は上記プルタブの指掛穴に嵌合可能に形成されているから、持柄体の横ぶれを防ぐことができ、持上体を真っ直ぐに引き上げることができ、持柄体の押圧部でプルタブの先端部を確実に押圧することができ、又、請求項３記載の発明にあっては、上記持柄体の先端部に上記軸部の頭部への当接を避ける逃げ部を形成しているから、押圧部によりプルタブの先端部を確実に押圧することができ、又、請求項４記載の発明にあっては、上記持柄体の後部は後上がり状に形成されているから、持柄体の引き起こし操作を容易に行うことができる。
【図面の簡単な説明】
【０００９】
【図１】本発明の実施の形態例の斜視図である。
【図２】本発明の実施の形態例の部分断面図である。
【図３】本発明の実施の形態例の使用状態の斜視図である。
【図４】本発明の実施の形態例の使用状態の斜視図である。
【図５】本発明の実施の形態例の使用状態の平面図である。
【図６】本発明の実施の形態例の使用状態の断面図である。
【図７】本発明の実施の形態例の使用状態の断面図である。
【発明を実施するための形態】
【００１０】
図１乃至図７は本発明の実施の形態例を示し、Ｗはプルトップ式缶であって、缶蓋板Ｗ1の中央部に軸部ＫによりプルタブＰの止着部Ｐ1が止着され、この止着部Ｐ1はプルタブＰに軸部Ｋを中心とする半環状の切欠溝Ｐ2を形成してプルタブＰの先端部Ｐ3を残して形成され、缶蓋板Ｗ1にプルタブＰの先端部Ｐ3による押圧により切り裂かれるドーム形状の切裂部Ｗ2が形成され、一方、プルタブＰの基部に指掛穴Ｍを形成して輪環部Ｈが形成されている。なお、軸部Ｋはリベットを用いた構造もある。
【００１１】
しかして、プルタブＰの輪環部Ｈの外方側を引き起こすことにより軸部Ｋを支点としてプルタブＰの先端部Ｐ3が切裂部Ｗ2の内側部位を押圧し、この押圧により缶蓋板Ｗ1は切裂部Ｗ2で切り裂かれて飲み口Ｗ3が開口し、その後、プルタブＰを元に戻すことにより飲み口Ｗ3が完全に開口することになる。
【００１２】
１は持柄体であって、合成樹脂等により形成され、この持柄体１の先端部に缶蓋板Ｗ1の中央部に軸部Ｋにより止着されたプルタブＰの先端部Ｐ3を下方に押圧可能な押圧部２が内方側の輪環部Ｈを逃げる逃げ凹部Ｆを介して形成され、かつ、持柄体１の押圧部２の後方位置にプルタブＰの指掛穴Ｍに挿入可能な挿入部３が形成され、この挿入部３にプルタブＰの指掛穴Ｍに挿入して手前方向への引き操作によりプルタブＰの輪環部Ｈに引掛可能な引掛部４が形成されている。
【００１３】
この場合、上記挿入部３は上記プルタブＰの指掛穴Ｍに丁度嵌り込み嵌合可能に形成されている。
【００１４】
５は逃げ部であって、上記持柄体１の先端部に上記軸部Ｋの頭部への当接を避けるように凹み形状に形成されている。
【００１５】
又、この場合、上記持柄体１の後部は後上がり状に形成され、後部には紐通し穴６が形成されている。
【００１６】
この実施の形態例は上記構成であるから、持柄体１を持って、図４、図５、図６の如く、挿入部３をプルタブＰの指掛穴Ｍに手前方向に斜めやや下向きに挿入すると共に持柄体１を手前方向に引き操作することにより挿入部３に形成された引掛部４を輪環部Ｈの外方側に引き掛け、この引掛状態において、図７の如く、持柄体１を矢印方向に引き起こすことによりプルタブＰは軸部Ｋを支点として引き起こされ、このプルタブＰの引き起こしにより押圧部２はプルタブＰの先端部Ｐ3を下方に押圧し、プルタブＰの先端部Ｐ3が押圧部２により下方に押圧されることにより缶蓋板Ｗ1は缶蓋板Ｗ1に形成された切裂部Ｗ2で切り裂かれて飲み口Ｗ3が開口し、その後、プルタブＰを元に戻すことにより飲み口Ｗ3が完全に開口することになる。
【００１７】
したがって、持柄体１を持って挿入部３をプルタブＰの指掛穴Ｍに挿入すると共に持柄体１を手前方向に引き操作することにより挿入部３に形成された引掛部４を輪環部Ｈの外方側に引き掛け、持柄体１を矢印方向に引き起こすことによりプルタブＰは引き起こされ、引き起こしにより押圧部２はプルタブＰの先端部Ｐ3を下方に押圧し、プルタブＰの先端部Ｐ3が押圧部２により下方に押圧され、飲み口を開口することができ、持柄体を手前側から中央方向へ挿入操作してプルタブＰを引き起こす操作よりも、持柄体１を手前方向に引き操作することにより挿入部３に形成された引掛部４を輪環部Ｈの外方側に引き掛ける操作の方が老人や子供、手や指、目に障害をもつ人にとってきわめて容易であり、それだけ、容易にプルタブＰを引き起こすことができ、プルトップ式缶の開口を容易に行うことができる。
【００１８】
この場合、上記挿入部３は上記プルタブＰの指掛穴Ｍに嵌合可能に形成されているから、持柄体１の横ぶれを防ぐことができ、持上体１を真っ直ぐに引き上げることができ、持柄体１の押圧部２でプルタブＰの先端部Ｐ3を確実に押圧することができ、又、この場合、上記持柄体１の先端部に上記軸部Ｋの頭部への当接を避ける逃げ部５を形成しているから、押圧部２によりプルタブＰの先端部Ｐ3を確実に押圧することができ、又、この場合、上記持柄体１の後部は後上がり状に形成されているから、持柄体１の引き起こし操作を容易に行うことができる。
【００１９】
尚、本発明は上記実施の形態例に限られるものではなく、合成樹脂や金属により製作することもでき、持柄体１、押圧部２、挿入部３、引掛部４の形態や大きさはプルトップ式缶の種類やサイズ等により適宜変更して設計される。
【００２０】
以上、所期の目的を充分達成することができる。
【符号の説明】
【００２１】
Ｗ1    缶蓋板
Ｋ    軸部
Ｐ    プルタブ
Ｍ    指掛穴
Ｈ    輪環部
１    持柄体
２    押圧部
３    挿入部
４    引掛部
５    逃げ部
【図１】
2011025932.tif 000003
【図２】
2011025932.tif 000004
【図３】
2011025932.tif 000005
【図４】
2011025932.tif 000006
【図５】
2011025932.tif 000007
【図６】
2011025932.tif 000008
【図７】
2011025932.tif 000009